(57)【要約】【課題】【解決手段】開口部と、後部（３）と、対向する前部（４）とを有する、特に、スキー、スケート及びスノーボードのためのスポーツブーツであって、前記開口部の領域に実質的に設けられ、第１の位置と第２の位置との間で回動可能な支持部材を有し、この支持部材は、第１の位置で、後部近くに位置し、第２の位置で、前部に向けて移動されており、また、前部の前方への曲がりによってこの支持部材の回動を生じさせるように、この支持部材と前部との間に接続手段（６）を有するスポーツブーツ。
2005520584.tif 000002
【特許請求の範囲】
【請求項１】
開口部と、後部と、対向した前部とを有している、特に、スキー、スケート又はスノーボードのためのスポーツブーツにおいて、前記開口部の領域に実質的に設けられ、第１の位置と第２の位置との間で回動可能な支持部材を具備し、この支持部材は、第１の位置で、前記後部近くに位置し、第２の位置で、前記前部に向けて移動されており、また、前記前部の前方への曲がりによってこの支持部材の回動を生じさせるように、この支持部材と前部との間に接続手段を具備することを特徴とするスポーツブーツ。
【請求項２】
前記支持部材は、前記第１の位置と第２の位置との間の回動により、前記前部に向けて前記後部を移動させるように、前記開口部の外側で後部に装着されている請求項１のブーツ。
【請求項３】
前記後部は、前記前部に向けて後部の移動を可能にするための選択的に変形する領域を有する請求項２のブーツ。
【請求項４】
前記開口部の頂部で開口している、第１のほぼ垂直なスリットが、前記選択的に変形する領域に設けられている請求項３のブーツ。
【請求項５】
前記第１のほぼ垂直なスリットの両側縁部が、外側に曲げられている請求項４のブーツ。
【請求項６】
前記選択的に変形する領域は、前記支持部材を収容するための座部を構成している請求項３ないし５のいずれか１のブーツ。
【請求項７】
前記支持部材は、弾性的に予め負荷がかけられた状態で前記座部と結合している請求項６のブーツ。
【請求項８】
ガイド手段が、前記第１の位置と第２の位置との間の回動を案内し、制限するように、前記後部と支持部材との間に設けられて、動作する前記すべての請求項のいずれか１のブーツ。
【請求項９】
前記支持部材は、このブーツのシェルに装着されており、このシェルで、前記後部は規定されている前記すべての請求項のいずれか１のブーツ。
【請求項１０】
少なくとも１つの横方向のスリットが、前記開口部の領域で前記シェルの可撓性を増すように、このシェルに設けられている請求項９のブーツ。
【請求項１１】
前記支持部材は、前記シェルに関節のように連結されている請求項９又は１０のブーツ。
【請求項１２】
前記支持部材は、前記第１の位置と第２の位置との間の回動の結果、前記後部から移動するように、前記開口部の内側に装着されている請求項１のブーツ。
【請求項１３】
前記支持部材は、このブーツのブーツレッグ又はシェルに関節のように連結されている請求項１２のブーツ。
【請求項１４】
前記支持部材は、前記後部の両側に備えられたピン装着手段によって、前記ブーツレッグ又はシェルに関節のように連結されている請求項１３のブーツ。
【請求項１５】
前記支持部材は、前記ブーツレッグ又は前記シェルに対する高さを調整可能である請求項１３又は１４のブーツ。
【請求項１６】
前記ブーツレッグの内側に設けられたインナーブーツと、このインナーブーツ中に設けられた選択的に曲がる領域とを具備し、この結果、前記インナーブーツの頂部が、前記前部の前方への曲がりによって、並びに、前記支持部材の後の回動によって、この支持部材の回動に従うことが可能である前記すべての請求項のいずれか１のブーツ。
【請求項１７】
前記選択的に曲がる領域は、前記インナーブーツの頂部で開口している後部の垂直なスロットを有する請求項１６のブーツ。
【請求項１８】
前記選択的に曲がる領域は、足首の高さのところに位置されている請求項１６のブーツ。
【請求項１９】
前記支持部材は、前記インナーブーツに装着されている請求項１６ないし１８のいずれか１のブーツ。
【請求項２０】
前記支持部材は、前記前部に対向する側で前記インナーブーツに装着されている請求項１９のブーツ。
【請求項２１】
前記接続手段は、前記前部と前記支持部材とに接続された第１のストラップを有する前記すべての請求項のいずれか１のブーツ。
【請求項２２】
前記第１のストラップは、前記前部から離れた側部で、前記支持部材のまわりに巻かれている請求項２１のブーツ。
【請求項２３】
前記第１のストラップは、前記後部のまわりに密着し、前記支持部材の両側にそれぞれ設けられた１対のガイドを通って案内され、また、前記第１のストラップは、これらガイドの間に案内され、前記前部のまわりに密着された第２のストラップによって締付られている請求項２２のブーツ。
【請求項２４】
前記第１のストラップの両端部は、前記支持部材に調整及び解放可能に密着されている請求項２３のブーツ。
【請求項２５】
前記第１のストラップの両端部は、タッチ−クローズ−プル締付手段によって密着されている請求項２４のブーツ。
【請求項２６】
前記第１のストラップは、（Ｂ）方向に対してオフセットされている（Ａ）方向へと、前記後部のまわりに巻かれており、（Ｂ）方向へと、このストラップは、前記支持部材のまわりに巻かれてもいる請求項２３ないし２５のいずれか１のブーツ。
【請求項２７】
前記第１のストラップは、これの両端部の第１の端部が、前記ブーツレッグ又はシェルに拘束され、このストラップの自由な端部が、前記支持部材から離れて支持されており、第２のストラップが、ガイドリングを通って案内され、前記前部の曲がりの結果、前記第１のストラップを締付るように、前部のまわりに密着している請求項２２のブーツ。
【請求項２８】
前記第２のストラップは、これの両端部の第１の端部によって、前記ブーツレッグ又はシェルに拘束され、１度目にガイドリングを通って延びるようにブーツレッグのまわりに巻かれ、そして、２度目にガイドリングを通って延びるようにストラップ自体に密着されている請求項２７のブーツ。
【請求項２９】
前記第２のストラップは、前記ブーツレッグの内側でブーツレッグ又は前記シェルに拘束されており、このブーツレッグ又はシェルは、前記第２のストラップがブーツレッグ又はシェルの内側と外側との間に延び得るように、前記開口部の領域に凹部を有している請求項２８のブーツ。
【請求項３０】
前記接続手段は、前記第１のストラップを締付るように、前記ブーツレッグで動作するレバーメカニズムを有する請求項２２のブーツ。
【請求項３１】
前記第１のストラップの第１の端部が、前記ブーツレッグに装着されており、前記第１のストラップの他端部が、前記支持部材の対向する側で、ブーツレッグに備えられたレバー締付部のコンポーネントの１つに装着されている請求項３０のブーツ。
【請求項３２】
前記レバー締付部のコンポーネントは、前記ブーツレッグに摺動可能に備えられている請求項３１のブーツ。
【発明の詳細な説明】
【技術分野】
【０００１】
本発明は、主請求項の前文に述べられた特徴に従った、特に、スキー、スケート又はスノーボードのためのスポーツブーツに関する。
【背景技術】
【０００２】
これらのスポーツを練習する時、剛性構造のシェルとブーツレッグとを有するスポーツブーツを使用することは知られている。しかし、一方では、この種のスポーツブーツは、スポーツをする人の足、かくして足首を保護するのを極めて助けるが、一方では、使用に際して、使用者の動きに従うようには十分に適していない。この課題は、足を前方に曲げる必要がある時に、例えば、ターンをする時に、特に明らかである。この曲がりの結果、スペースが、足とブーツレッグ（又はブーツレッグに収容されたインナーブーツ）の後部との間に実際に形成される。このことは、用具の不正確な制御とブーツへの好ましくない雪の進入の可能性を導く。この制限は、スポーツをする人の中でもかなり細い足の人には、特に明らかである。このような人にとって、休憩中でさえ、ブーツレッグの上端部へのふくらはぎのフィットを達成すことは、時として不可能である。
【発明の開示】
【発明が解決しようとする課題】
【０００３】
本発明に潜む課題は、説明された従来技術を参照して、上述された制限を構造かつ機能的に克服するようにデザインされた、特に、スキー、スケート又はスノーボードのためのスポーツブーツを提供することである。
【課題を解決するための手段】
【０００４】
この課題は、添付された請求項に従って形成された本発明のブーツによって解決される。
本発明の特徴及び利点は、添付された図に関する非制限的な例によって説明された、本発明のいくつかの好ましい実施の形態の詳細な説明から明らかになるであろう。
【発明を実施するための最良の形態】
【０００５】
最初に、図１ないし図６を参照すると、本発明に従って形成されたスポーツブーツの第１の実施の形態が、全体的に１で示されている。このブーツ１は、スキーブーツであり、剛性構造のシェル１ａを有しており、このシェルにはブーツレッグ２が固定されている。ブーツレッグに関連し、また、ブーツ１の通常の使用に関して、開口部２ａと、この開口部に隣接した後部３と、前部４とが、ブーツ１に一致されている。この明細書で、特に、以下で説明される実施の形態に関して、“前部”及び“後部”という用語の範囲の定義は、ブーツレッグ２に制限されること無く、ブーツ１の対応する前部領域及び後部領域にも広がる。特に、前部４は、ブーツレッグ２中に挿入されたインナーブーツの前部領域をも含んでも良いし、また、後部は、本発明の第３及び第５の実施の形態で後述されるようなシェルの後部領域を含んでも良い。
【０００６】
本発明の主な特徴に係われば、ブーツ１の開口部２ａの領域に、第１の動作位置と第２の動作位置との間を回動可能な支持部材５が設けられている。この支持部材は、第１の動作位置で、後部３の近くに位置し（図１と図２の点線）、第２の動作位置で、前部４に向けて移動されている（図２の実線）。
【０００７】
前記支持部材５は、この第１の実施の形態では、ブーツレッグ２中に収容され、剛性構造を有し、そして、ブーツ１の後部３の湾曲に類似かつ対応する湾曲が設けられたほぼ揺りかご形状である。
また、このブーツ１は、全体的に６で示された接続手段を有している。この接続手段は、前部４の前方への移動によって、一方の動作位置と他方の動作位置との間に前記支持部材５の回動を生じさせるように、支持部材５と前部４との間に作用する。
【０００８】
前記接続手段６は、前記支持部材５のまわりに巻かれている第１のストラップ７を、後部３と支持部材との間に有している。この結果、第１のストラップ７の張力により、支持部材５は、第１の動作位置から第２の動作位置へと移動される。
特に図３に示された本発明の好ましい実施の形態では、前記第１のストラップ７は、それぞれ支持部材５の両側に設けられた１対のガイド８を介して案内された後に、後部３のまわりで密着されている。第１のストラップ７の両端部９ａ，９ｂは、保護及び隠された位置（ｐｒｏｔｅｃｔｅｄ  ａｎｄ  ｃｏｎｃｅａｌｅｄ  ｐｏｓｉｔｉｏｎ）で、支持部材５に効果的に密着される。この目的のために、支持部材５は、中央部に貫通孔１０を有し、この貫通孔を介して、第１のストラップ７の両端部９ａ，９ｂが、前部４に面する支持部材５の面５ａ上に導かれている。
【０００９】
また、前記接続手段６は、第２のストラップ１１を有し、このストラップは、ガイド８を介して効果的に案内され、第１のストラップ７の前方移動によりこのストラップを締めるように前部４のまわりのストラップ１１自体で閉じられる。第１のストラップ７と第２のストラップ１１との両方の張力の度合いは、使用者によって、好ましくは、それぞれ１２と１３とで示されたタッチ−クローズ−プル固定手段（ｔｏｕｃｈ−ｃｌｏｓｅ  ｐｕｌｌ  ｆａｓｔｅｎｉｎｇ）によって調整可能に意図されている。前記前部４が、スポーツをする人によりなされた曲げ（ｂｅｎｄｉｎｇ）により、前方に曲げられた時に、例えば、ターンをする時に、前部の移動は、１対のガイド８により互いに接続された第１のストラップ７と第２のストラップ１１との同方向への平行移動を引き起こす。第１のストラップ７の張力は、第１の動作位置から第２の動作位置へと支持部材５の回動を導く。そして、支持部材５は、スポーツをする人の足の移動に対して足に従い、前部４の前方への曲がりにより開口部２ａの領域に生じる断面の変化を縮めるように足に対して密着したままである。そして、スポーツをする人の足とブーツ１との間の接触は、足の全外周に渡って維持される。
【００１０】
説明された実施の形態で、前記支持部材５の回動角は、ガイド８によって案内される２つのストラップ７，１１の特定の配設によって大きくなることは注目されるべきである。
図６は、前記第１のストラップ７が、上述されたのとは異なる方法で配設されているブーツ１を示している。このストラップ７は、図６のＡとＢとで示されたそれぞれの巻き方向が互いにオフセットされるような方法で、ブーツレッグの後部３のまわりと支持部材５の外周とに巻かれている。この配設は、効果的に、第１のストラップによってスポーツをする人の足にかけられる圧力を、より大きなエリアに渡って分配し得る。
【００１１】
本発明の第２の実施の形態は、図７に示されており、この図は、スポーツブーツ２０を示している。この図で、前の実施の形態のブーツ１の部材と類似したブーツ２０の部材は、同じ参照符号により示されている。
このブーツ２０において、レバーメカニズムが、第１のストラップ７を緊張するために、及び、このストラップを前記前部４に接続するために設けられている。中央部が前記支持部材５と後部３との間に挟まれた第１のストラップ７は、ブーツレッグ２中にストラップの第１の一端部９ａが、また、ブーツレッグ２上に設けられたレバー締付部のコンポーネント２１に他端部９ｂが拘束されている。このレバー締付部は、一般的なタイプのものであり、図７に部分的にのみ示されている。前記端部９ｂと（例えば、締付部のベースを構成している）コンポーネント２１とは、ブーツレッグ２に形成された貫通スロット２３中を摺動するように案内されたピン、もしくは、リベット２２により、互いに接続されている。かくして、第１のストラップ７の張力を調整することは可能である。
【００１２】
この解決で、第１のストラップ７の通路が、ブーツレッグ２中に効果かつ全体的にあることは注意されるべきである。
一般的な方法で、前記ブーツ１とブーツ２０との両方は、ブーツレッグ２中に収容され、スポーツをする人の足を快適に収容するように軟質材で形成されたインナーブーツ２５を有している。スポーツをする人の足とブーツとの間に一定の接触を好ましくは与える本発明の特徴に従えば、選択的に曲がる領域（ｐｒｅｆｅｒｅｎｔｉａｌ  ｙｉｅｌｄｉｎｇ  ｒｅｇｉｏｎｓ）が、インナーブーツ２５の頂部２６を支持部材５の回動と同時に回動可能なように、インナーブーツに設けられている。
【００１３】
図８ないし図１１は、このような機能的な要求に応答するように改良された（すべて２５で示された）インナーブーツの種々の実施形態を示している。図８において、例えば、インナーブーツ２５は、これの前部領域で開口しており、この領域に、ブーツレッグの残った部分２８から分離された前側舌部２７を有している。この結果、ブーツレッグは、前記舌部２７に対してある程度自由に回動可能である。図９及び図１０では、それぞれ２９，３０で示された選択的に曲がる領域は、それぞれ、インナーブーツの足底により規定された面に対して平行な方向へ、及び、インナーブーツの足の甲の領域に向かう面に対して横方向へと足首のところに広がっている。図１１の実施の形態では、選択的に曲がる領域は、後部で延び、インナーブーツ２５の頂部で開口している垂直のスロット３１によって構成されている。この後者の実施の形態で、インナーブーツ２５は、例えば、ステッチ３３により、垂直のスロット３１を覆うようにインナーブーツの後部３４に固定された後側舌部３２を有している。この後側舌部３２は、種々の動作状態でインナーブーツ２５中への使用者の足を適切かつ快適に収容可能にしている。図１１に示された最後の実施形態で説明されたインナーブーツは、本発明に係わるブーツの中での、使用にとって最も好ましい。
【００１４】
図８ないし図１１で、それぞれの矢印Ｆは、図１と図２との前記第１の位置と第２の位置との間での、支持部材５の回動移動によって生じる選択的に曲がる領域の移動を示している。この支持部材の回動移動は、それぞれの矢印Ｇで示されている。
今までに説明された好ましい実施の形態で、前記支持部材５は、ブーツレッグ２に関節のように連結されている。特に、支持部材は、後部３の両側に設けられ、軸Ｘを中心として回動することにより、上述された動作位置の間の回動を可能にしているピン装着手段３５によってブーツレッグ２に回動可能に装着されている。ブーツレッグ２に対する支持部材５の高さは、好ましくは、支持部材５の異なる高さのところで形成された複数のホール３６の提供により調整可能でもある。各ホールは、前記固定ピン３５を収容可能である。
【００１５】
図１２を参照すると、本発明の教示は、ブーツレッグの後部３に面する位置で、インナーブーツ２５に直接に又はインナーブーツ中に、剛性の支持部材５を固定又は結合することで実行可能でもある。この場合、前記接続手段６の好ましい構成は、図７を参照して上述された構成である。図７で、第１のストラップ７（図１２に破線で部分的に示されている）は、ブーツレッグ中に配設されており、レバーメカニズムによって締付けられている。
【００１６】
図１３に示された本発明の第３の実施の形態では、ブーツ５０と類似する部材が、前の実施の形態と同じ参照符号により示されている。ブーツレッグ２の前部が、前記ガイド８と前部４との間で締付けられている第２のストラップ１１が、インナーブーツ２５の頂部２６の外周に、特に、インナーブーツに一致された前部領域２６ａの外周に密接して装着するように、低くなっている形状を有している。この場合、スポーツをする人の体重の前方への重荷から生じる前部４の曲がりは、接続手段６によって、直接的には、インナーブーツ２５の前部領域２６ａの移動によって支持部材５に伝えられる。
【００１７】
図１４と図１５とは、全体的に１００で示され、本発明の第４の実施の形態を構成しているブーツを示しており、これらの図では、類似する部材が、前の実施の形態と同じ参照符号により示されている。
ブーツ１００の第１のストラップ７は、この両端部の第１の端部９ａがリベットによってブーツレッグ２の内側に拘束され、他端の自由端部９ｂがガイドリング１０８を支持している。また、第２のストラップ１１の第１の端部１１ａが、ブーツレッグ２の内側に、第１のストラップの端部９ａに対向する側に拘束されている。第２のストラップは、この開口部２ａの全外周に延び、前記ガイドリング１０８を通って後方へと導かれるように、ガイドリング１０８を通ってブーツレッグ２の外側に導かれている。尚、第２のストラップは、タッチ−クローズ−プル固定手段（ｔｏｕｃｄ−ｃｌｏｓｅ  ｐｕｌｌ  ｍｅａｎｓ）１３によって、最終的に、ストラップ自体に密着される。第２のストラップ１１がガイドリング１０８を通って二重に延びているストラップ７，１１の組み合わせにより、ブーツレッグ２の外周にこれらストラップの安定した配設が可能であることは注意されるべきである。
【００１８】
第２のストラップ１１がブーツレッグ２の内側から外側へと延び得るように、開口部２ａの領域でのブーツレッグ２の外形は、凹部１０９ａを有し、この凹部には、対称的に向き合った凹部１０９ｂが対応している。
このブーツの後部３で、前記第２のストラップ１１は、ブーツレッグ２に形成された適切なスロット１１０を介してブーツレッグの内側へと導かれても良い。
【００１９】
本発明の第５の実施の形態は、ブーツ２００を示している図１６ないし図２２に示されており、このブーツの構成部材は、前の実施の形態と同じ参照符号により示されている。
このブーツ２００は、シェル１ａを有し、このシェルに、これの外周に部分的にのみ延びているブーツレッグ２が、ブーツの前部４に関節のように連結されている。このシェル１ａは、ブーツレッグ２によって覆われていないブーツの後部３に、リブ２０２によってブーツレッグの両側で区切られた座部２０１を規定している選択的に変形する領域（ｒｅｇｉｏｎ  ｏｆ  ｐｒｅｆｅｒｅｎｔｉａｌ  ｄｅｆｏｍａｂｉｌｉｔｙ）を有している。ブーツ２００は、さらに、前記座部２０１へと収容されるように後部３近くのシェル１ａの外側に装着された支持部材５を有している。前の実施の形態のように、この支持部材５は、前部４の前方への曲がりの結果、前部４に向けて回動可能である。
【００２０】
前記支持部材５が回動し得るように、前記シェル１ａは、前記座部２０１に沿ってほぼ垂直に延び、開口部２ａの頂部で開口している第１のスリット２０３を有している。この第１のスリット２０３の両側端部２０４は、好ましくは、ブーツ２００の後部のショック吸収（ｓｈｏｃｋ−ａｂｓｏｒｂｉｎｇ）部材を構成するように、並びに、水が第１のスリット２０３を介してブーツ中に入るのを防止するように外側に曲げられている（図１８を見よ）。シェル１ａに対する支持部材５の回動は、シェルと支持部材との間に設けられたガイド手段によって、効果的に案内され、制限されている。尚、このガイド手段は、例えば、支持部材５にしっかりと固定され、シェル１ａに形成されたそれぞれの小穴２０５中を摺動するように係合された１対のピンを有する。
【００２１】
前記支持部材５は、好ましくは、弾性的に予め負荷がかけられた（ｐｒｅｌｏａｄｉｎｇ）状態で、シェル１ａと結合されている。
また、前記シェル１ａの可撓性は、効果的に、１対の対称的な横方向のスリット２０６の提供によって高めることができる。これらスリットの深さは、可撓性の所望の程度に依存して選択されることもできる（破線で、図１７の２０６ａ，２０６ｂにより示された変形例）。
【００２２】
前記支持部材５は、例えば、開口部２ａから離れた部材の端部で、スリット２０３の下に設けられたボス２０７のような固定接続部によって、シェル１ａに接続されることができる。この場合、支持部材５の回動は、部材が形成されている材料の本質的な可撓性を利用することで可能とされる。
【００２３】
前の実施の形態のように、前記支持部材５は、上述された構成のすべてに適合され得る接続手段によって、ブーツの前部４に接続されている。前記接続手段は、従って、それぞれ図１９又は図２０の（変形）例として概略的に示されているブーツ１又はブーツ１００を参照して説明されたタイプのものであっても良いし、シェル１ａに面する側部で支持部材５の中央の領域に支持され、１対のホール２１１を介してシェルの外側に伸びているストラップ２１０を有しても良い。ストラップの両端部の第１の端部２１２が、他端部に装着されたガイドリング２１３を介して案内されている（図２１を見よ）。
【００２４】
図２２に示されたブーツ２００の変形例において、前記支持部材５は、これの回動軸を規定するように配設された１対のリベット２１５によってシェル１ａに関節のように連結されている。そして、ブーツレッグ２は、座部２０１の下方で後部３のまわりに密着されてもいる。
【００２５】
このブーツ２００は、図１１を参照して上述されたタイプのインナーブーツ２５を好ましくは備えている。このインナーブーツでは、前記選択的に曲がる領域は、垂直なスロット３１により構成されており、このスロットの構成は、前記第１のスリット２０３と類似している。
【００２６】
ブーツ２００が前方へと曲がる間に、かくして、前記支持部材５がこれに対応して、同時に回動する間に、シェル１ａは、この曲がりに従うように、スリット２０３、２０６の領域で変形される。
このようにして、空いているスペースが、使用者の足とブーツの後部３との間に形成されることはなく、ターンをする時の正確な制御さえを可能にし、そして、ブーツへの好ましくない雪の進入をも防止する。
【００２７】
従って、本発明は、説明された従来技術を参照して述べられた課題を解決し、同時に、その他多くの効果を有している。その中でも、スポーツをする人のためのターンの制御における感度が改良されている。
【図面の簡単な説明】
【００２８】
【図１】図１は、第１の動作位置にある、本発明の第１の実施の形態に従って形成されたスポーツブーツの図式的な側面図である。
【図２】図２は、第２の動作位置にある、本発明の第１の実施の形態に従って形成されたスポーツブーツの図式的な側面図である。
【図３】図３は、図１のII−III線に沿って切断された部分的な断面図である。
【図４】図１のブーツの部材の側部を示す斜視図である。
【図５】図３のＶ−Ｖ線に沿って切断された、図４の部材の断面図である。
【図６】ブーツの部材の異なる配設において、図１と類似している図である。
【図７】本発明の第２の実施の形態に従って形成されたスポーツブーツの図式的な側面図である。
【図８】図１のブーツのコンポーネントの変形例を示す概略図である。
【図９】図１のブーツのコンポーネントの変形例を示す斜視図である。
【図１０】図１のブーツのコンポーネントの変形例を示す側面図である。
【図１１】図１のブーツのコンポーネントの変形例を示す背面図である。
【図１２】本発明のブーツの変形例に従って形成された図１０のコンポーネントを示す概略図である。
【図１３】本発明に従ったブーツの第３の実施の形態を示す部分図である。
【図１４】本発明に従ったブーツの第４の実施の形態を示す部分的な斜視図である。
【図１５】上から見た図１４のブーツの概略図である。
【図１６】本発明に従ったブーツの第５の実施の形態を示す側面図である。
【図１７】図１６のブーツの詳細を示す側面図である。
【図１８】図１７のＸＶＩＩＩ-ＸＶＩＩＩ線に沿って切断された断面図である。
【図１９】上から見た図１６のブーツの変形例を示す概略図である。
【図２０】上から見た図１６のブーツの変形例を示す概略図である。
【図２１】上から見た図１６のブーツの変形例を示す概略図である。
【図２２】図１６のブーツのさらなる変形例を示す側面図である。
【図１】
2005520584.tif 000003
【図２】
2005520584.tif 000004
【図３】
2005520584.tif 000005
【図４】
2005520584.tif 000006
【図５】
2005520584.tif 000007
【図６】
2005520584.tif 000008
【図７】
2005520584.tif 000009
【図８】
2005520584.tif 000010
【図９】
2005520584.tif 000011
【図１０】
2005520584.tif 000012
【図１１】
2005520584.tif 000013
【図１２】
2005520584.tif 000014
【図１３】
2005520584.tif 000015
【図１４】
2005520584.tif 000016
【図１５】
2005520584.tif 000017
【図１６】
2005520584.tif 000018
【図１７】
2005520584.tif 000019
【図１８】
2005520584.tif 000020
【図１９】
2005520584.tif 000021
【図２０】
2005520584.tif 000022
【図２１】
2005520584.tif 000023
【図２２】
2005520584.tif 000024
【手続補正書】
【提出日】平成16年3月16日(2004.3.16)
【手続補正１】
【補正対象書類名】特許請求の範囲
【補正対象項目名】請求項１
【補正方法】変更
【補正の内容】
【請求項１】
開口部と、後部と、対向した前部とを有している、特に、スキー、スケート又はスノーボードのためのスポーツブーツであって、シェルとこのシェルに回動可能に備えられたブーツレッグと、このブーツレッグ及び前記シェルから構造的に独立した支持部材とを具備し、この支持部材は、前記開口部の領域に実質的に設けられ、第１の位置と第２の位置との間で回動可能であり、この支持部材は、第１の位置で、前記後部近くに位置し、第２の位置で、前記前部に向けて移動されているブーツにおいて、接続手段が、前記前部の前方への曲がりによって第１の位置から第２の位置へと前記支持部材を回動するために、この支持部材を前記前部に直接接続するように支持部材と前部との間に設けられていることを特徴とするスポーツブーツ。
【手続補正２】
【補正対象書類名】明細書
【補正対象項目名】０００２
【補正方法】変更
【補正の内容】
【０００２】
これらのスポーツを練習する時、剛性構造のシェルとブーツレッグとを有するスポーツブーツを使用することは知られている。しかし、一方では、この種のスポーツブーツは、スポーツをする人の足、かくして足首を保護するのを極めて助けるが、一方では、使用に際して、使用者の動きに従うようには十分に適していない。この課題は、足を前方に曲げる必要がある時に、例えば、ターンをする時に、特に明らかである。この曲がりの結果、スペースが、足とブーツレッグ（又はブーツレッグに収容されたインナーブーツ）の後部との間に実際に形成される。このことは、用具の不正確な制御とブーツへの好ましくない雪の進入の可能性を導く。この制限は、スポーツをする人の中でもかなり細い足の人には、特に明らかである。このような人にとって、休憩中でさえ、ブーツレッグの上端部へのふくらはぎのフィットを達成すことは、時として不可能である。
主請求項の前文に述べられた特徴を有するスポーツブーツは、ＥＰＡ３７１９１５、ＥＰＡ４７７８１７及びＵＳ  ｐａｔｎｅｔ  ｎ．４８８８８８９に開示されている。


【国際調査報告】
2005520584.tif 000025
2005520584.tif 000026